(57)【特許請求の範囲】
【請求項１】
可撓性フィルムからなる四方がシールされた袋体（バッグ）を、剛性を有する段ボール製や板紙製などの直方体状の箱体内（インボックス）に収容して、箱体の前側面下部を貫通する口栓体を袋体に取り付けたバッグインボックスにおいて、
前記口栓体と対向する袋体の内面に、前記口栓体の開口部分を覆うように、
複数本の凹条部を有する細長板状の導液フィルムが貼着され、
前記貼着部分が、口栓体の対向領域外であることを特徴とするバッグインボックス。
【請求項２】
前記導液フィルムは、少なくとも膜厚１０〜５０μｍのポリアミドフィルムを積層しており、該導液フィルムの総厚が５０〜３００μｍであることを特徴とする請求項１記載のバッグインボックス。
【請求項３】
前記導液フィルムが、前記袋体の長辺のほぼ全長に沿うように貼着されていることを特徴とする請求項１または２記載のバッグインボックス。
【請求項４】
前記導液フィルムの長辺の両端が、袋体の内面と貼着されていることを特徴とする請求項１〜３のいずれか１項に記載のバッグインボックス。
【請求項５】
前記袋体が、内フィルムと外フィルムとからなる二重袋であることを特徴とする請求項１〜４のいずれか１項に記載のバッグインボックス。
【発明の詳細な説明】
【技術分野】
【０００１】
本発明は、食品調味料や接着剤や印刷インキなどの粘調液を吸引して排出する際に、排出が容易で排出残液量が少ないバッグインボックスに関するものである。
【背景技術】
【０００２】
従来から、食品調味料や接着剤や印刷インキなどの粘調液用のバッグインボックスは、粘調液を収容した可撓性を有する袋体を、剛性を有する段ボール製や厚手の板紙などの直方体状の箱体内に収納して、箱体の前側面下部を貫通する口栓体を袋体に取り付けたものが使用されている。
【０００３】
粘調液を排出する際には、口栓体から吸引することにより、可撓性を有する袋体が変形縮小され、粘調液を排出する。口栓体から空気が進入することなく、特に空気との接触を好まない粘調液用に多く使用されている。
【０００４】
しかし、ポンプやその他の手段により吸引されて徐々に排出され、粘調液の残量が少なくなってくると、口栓体の近辺の袋体が口栓体の注出口を塞いだり、あるいは袋体のフィルム同士が密着して流路を塞いだりすることが起こり、粘調液を全量取り出すことができない問題があった。
【０００５】
このような問題を対処するために、以下の改善が提案されている。
【０００６】
細長板状で長さ方向に複数の突条を有し、該突条を口栓体側に向けた状態で前記口栓体の下を通るようにして袋体のほぼ全長に配置されたインサートシートを用いた包装袋がある。包装袋のフィルム同士が密着してきても、インサート材シートの突条の溝によって口栓体に繋がる流路が確保される提案である（特許文献１）。
【０００７】
しかしこのインサートシートは、シートが厚く硬いために、輸送時などにより袋体を破損したりすることがある。
【０００８】
また長さ方向の複数本の凹条部を有する片端部が屈曲した細長板状の導液板を口栓体の注出口が開口するように、導液板の下側面を袋体の内面下部に熱融着してものがある。凹条部から口栓への流路を確保した提案である（特許文献２）。
【０００９】
しかしこの導液板は、シートが厚く硬いために、輸送時などにより袋体を破損したりすることがある。
【先行技術文献】
【特許文献】
【００１０】
【特許文献１】実開平０４−４１８４８号公報
【特許文献２】実開平０６−５３４５３号公報
【発明の概要】
【発明が解決しようとする課題】
【００１１】
このような背景技術を鑑みて、粘調液の排出が容易で、排出残液量が少なく、袋体を破損しないバッグインボックスを提供することにある。
【課題を解決するための手段】
【００１２】
上記の課題を解決するために、発明者らは鋭意検討を行い、本発明を完成した。
【００１３】
本発明の請求項１に係る発明は、可撓性フィルムからなる四方がシールされた袋体（バッグ）を、剛性を有する段ボール製や板紙製などの直方体状の箱体内（インボックス）に収容して、箱体の前側面下部を貫通する口栓体を袋体に取り付けたバッグインボックスにおいて、
前記口栓体と対向する袋体の内面に、前記口栓体の開口部分を覆うように、
複数本の凹条部を有する細長板状の導液フィルムが貼着され、
前記貼着部分が、口栓体の対向領域外であることを特徴とするバッグインボックスである。
【００１４】
本発明の請求項２に係る発明は、前記導液フィルムは、少なくとも膜厚１０〜５０μｍのポリアミドフィルムを積層しており、該導液フィルムの総厚が５０〜３００μｍであることを特徴とする請求項１記載のバッグインボックスである。
【００１５】
本発明の請求項３に係る発明は、前記導液フィルムが、前記袋体の長辺のほぼ全長に沿うように貼着されていることを特徴とする請求項１または２記載のバッグインボックスである。
【００１６】
本発明の請求項４に係る発明は、前記導液フィルムの長辺の両端が、袋体の内面と貼着されていることを特徴とする請求項１〜３のいずれか１項に記載のバッグインボックスである。
【００１８】
本発明の請求項５に係る発明は、前記袋体が、内フィルムと外フィルムとからなる二重袋であることを特徴とする請求項１〜４のいずれか１項に記載のバッグインボックスである。
【発明の効果】
【００１９】
本発明のバッグインボックスは、粘調液の残量が少なくなってきても、口栓体の近辺の袋体のフィルムが口栓体の注出口を塞いだり、あるいはフィルム同士が密着して流路を塞いだりすることがないために、排出残液量を低減できる。かつ袋体の破損が生じないバッグインボックスである。
【００２０】
本発明の請求項１によれば、可撓性フィルムからなる四方がシールされた袋体（バッグ）を、剛性を有する段ボール製や板紙製などの直方体状の箱体内（インボックス）に収容して、箱体の前側面下部を貫通する口栓体を袋体に取り付けたバッグインボックスにおいて、
前記口栓体と対向する袋体の内面に、前記口栓体の開口部分を覆うように、
複数本の凹条部を有する細長板状の導液フィルムが貼着されていることを特徴とする。口栓体と対向する袋体の内面に貼着されているために、内容物である粘調液が排出され、袋体のフィルムが変形、縮小されても、口栓体の注出口を塞いだり、またフィルム同士が密着して流路を塞いだりすることがなく、排出残液量を低減することができる。
【００２１】
また、本発明の請求項１によれば、前記貼着部分が、口栓体の対向領域外であることを特徴とする。導液フィルムの両端の貼着部が、流路としての効果が減少するために、貼着部を口栓体の対向領域外にする必要がある。特に口栓体の注出口に貼着部が密着しないようにする。導液フィルムを、袋体の長辺のほぼ全長に沿うように配置するために、口栓体の対向領域外にすることができる。
【００２２】
本発明の請求項２によれば、前記導液フィルムは、少なくとも膜厚１０〜５０μｍのポリアミドフィルムを積層しており、該導液フィルムの総厚が５０〜３００μｍであることを特徴とする。ポリアミドフィルムは、汎用性フィルムの中でも、可撓性に富み、軟らかさを有している。該フィルムを積層した導液フィルムは、ポリエチレンフィルムやポリプロピレンフィルムのそれぞれ単体フィルムより可撓性に富み柔軟性を向上する。よって輸送時での振動や、積み込み時の衝撃などの要因で生じる袋体の破損を防ぐことができる。またポリアミドフィルムを積層することにより、凹条の保形性を向上させることができる。特にポリアミドフィルムをポリエチレンフィルムと積層する方が好ましい。
【００２３】
導液フィルムの総厚が５０μｍ以下であると、凹条を保持するのが難しくなり、排出する際に、流路としての効果を失い、排出残液が生じ易くなる。また３００μｍ以上になると輸送時での振動や、積み込み時の衝撃などの要因で袋体の破損が生じ易くなる。
【００２４】
ポリアミドフィルムは、１０μｍ以下での製膜は難しく、厚みのバラツキからピンホールの問題がある。また５０μｍ以上では、ポリエチレンフィルムとの積層することにより柔軟性が低下し、袋体を破損してしまう問題と価格面で高くなる問題もある。
【００２５】
本発明の請求項３によれば、前記導液フィルムが、前記袋体の長辺のほぼ全長に沿うように貼着されていることを特徴とする。導液フィルムを、口栓体と対向する袋体の内面、該内面の長辺のほぼ全長に沿うように配置、貼着する。袋体全体に渡って凹条部による流路を有することができる。排出残液量を低減することができる。
【００２６】
本発明の請求項４によれば、前記導液フィルムの長辺の両端が、袋体の内面と貼着されていることを特徴とする。導液フィルムの両端を袋体の内面に貼着することにより、導液フィルムの脱落を防ぐことができる。また貼着するには、加熱加圧して熱融着させるために、貼着部分の凹条部が潰され流路としての効果が減少する。よって導液フィルムの両端のみに行うのである。
【００２７】
本発明の請求項５によれば、前記袋体が、内フィルムと外フィルムとからなる二重袋であることを特徴とする。袋体に収容する粘調液は５〜２０Ｌの容量が多く使用されている。ピンホールなどの微細な孔がどちらかのフィルムに生じていても一方のフィルムで保持することができる。ピンホール対策のために二重袋にしている。またピンホール確認する品質機器など使用することができるが、時間を要するために生産性が落ちる。
【図面の簡単な説明】
【００２８】
【図１】袋体の一例を示す平面図である。
【図２】図１の袋体のＡ−Ａ´断面図である。
【図３】導液フィルムの一例を示す説明図である。
【図４】図３の導液フィルムＢ−Ｂ´断面図である。
【図５】本発明のバッグインボックスの一例を示す説明図である。
【図６】本発明のバッグインボックスの排出途中の状態の一例を示す説明図である。
【図７】本発明のバッグインボックスの排出途中の状態の一例を示す説明図である。
【図８】本発明のバッグインボックスの排出途中の状態の一例を示す説明図である。
【発明を実施するための形態】
【００２９】
以下本発明を実施するための形態につき説明する。
【００３０】
図１は、袋体の一例を示す平面図である。可撓性フィルムからなる四方がシールされた袋体（バッグ）１が形成され、袋体の一側端に近接した位置には、注出口として口栓体４
が形成されている。また口栓体４の対向する袋体の内面には導液フィルム２０が貼着されている。
【００３１】
また導液フィルム２０は、複数本の凹条部を有した細長板状である。口栓体と対向する内フィルムの内面に口栓体の覆うように、袋体の長辺のほぼ全長に沿うように貼着されている。また内フィルムの内面に貼着するには、導液フィルムの両端を加熱加圧して貼着する。貼着部７の凹条部は潰されるために、導液フィルムの一方の貼着部７を袋体１の一側端１０のシール部９と口栓体４との間になるように形成する。
【００３２】
図２は、図１の袋体のＡ−Ａ´断面図である。袋体１は、内フィルム２と外フィルム３との二重袋の形態を形成している。口栓体４は、袋体１の一側端１０に近接した位置に形成されている。口栓体４のフランジ６に内フィルム２がシールされ、かつ内フィルム２と外フィルム３も同時にシールされ、フランジ６と内フィルム２および外フィルム３が一体化され取り付けられている。また導液フィルム２０は、口栓体４と対向した内フィルム２の内面に、口栓体４の領域外に貼着される。導液フィルム２０は、内フィルムの長辺のほぼ全長に沿うように配置され、その両端が貼着されている。
【００３３】
内フィルム２と外フィルム３は、四方のシール部と口栓体を取り付けるためのフランジでシールされている以外は、貼り合わされた状態でなく、間隙のある状態である。貼り合わされ一体化されていないために、ピンホールや突き刺し性を改善することができる。即ち袋体１は、内フィルム２と外フィルム３との二重袋の形態であるために、ピンホールなどで生じる粘調液の漏れなどを防ぐことができる。
【００３４】
図３は、導液フィルムの一例を示す説明図である。導液フィルム２０は、複数本の凹条部２１を有する細長板状である。凹条部２１を有することで、袋体中に収容されている粘調液を残さず排出することができる。導液フィルム２０は、ポリエチレン、エチレンー酢酸ビニル共重合体などのオレフィン系樹脂からなるフィルムまたはシートにポリアミドフィルムを積層したものを使用する。特にポリアミドフィルムを積層することで、柔軟性が付加され、袋体の破損を防ぐことができる。
【００３５】
図４は、図３の導液フィルムのＢ−Ｂ´断面図である。導液フィルム２０に形成する凹条部２１は、凹凸形、波形がよい。凹条部２１は、機械的に加工でき、粘調液を排出し易い形状であれば、これ以外の構造でも構わない。（図４−１）は、凹凸形２２を示している。（図４−２）は、波形２３を示している。凹凸形２２は、例えば、高さ５ｍｍ、幅５ｍｍ、繋ぎ５ｍｍの単位で連続形成する。流路としての効果があり好ましい。波形２３は、例えば、１辺が５ｍｍの正三角形の単位で連続形成する。流路としての効果があり好ましい。また形成する単位の数は、導液フィルムの幅により適宜決めることができる。
【００３６】
図５は、本発明のバッグインボックスの一例を示す説明図である。本図は、口栓体４の上側に袋体１のシール部９を配置したバッグインボックス４０の一例である。箱体３０の中に、袋体１が収納され、該袋体１には口栓体４が取り付けられ、該口栓体４は前記箱体３０の前側面３１下部を貫通している。口栓体はキャップ８で栓をされている。導液フィルム２０は、口栓体４と対向する内フィルム２の内面に配置され、両端が貼着されている。
【００３７】
図６は、本発明のバッグインボックスの排出途中の状態の一例を示す説明図である。口栓体４に吸引部材３２が取り付けられ、ポンプやその他の手段により吸引され粘調液が徐々に排出されると、袋体１が縮小減容されていく。
【００３８】
図７、図８は、本発明のバッグインボックスの排出途中の状態の一例を示す説明図であ
る。口栓体４と対向した内フィルム２の内面に貼着された導液フィルム２０も徐々に、口栓体４の注出口５方向に引き寄せられる。最終的に注出口５と導液フィルム２０が密着しても凹条部２１の流路を通して排出される。安定して排出され、排出残液量が低減される。
【００３９】
更に本発明を詳しく説明する。
【００４０】
本発明の袋体１は、四方シールされた内フィルムと外フィルムの二重袋の形態である。この二重袋の一側端の近辺に口栓体が取り付けられている。また口栓体と対向した内フィルムの内面に導液フィルムが貼着されている。
【００４１】
内フィルム２に使用されるフィルムとしては、ポリエチレンフィルム、ポリプロピレンフィルム、またこれらフィルムとポリエチレンテレフタレートフィルムなどを積層したものが使用される。
【００４２】
外フィルム３に使用されるフィルムとしては、ポリエチレンフィルム、ポリアミドフィルムとポリエチレンフィルムを積層した積層フィルム、またガスバリア層を形成したポリアミドフィルムとポリエチレンフィルムとを積層した積層フィルムなどが使用される。特にポリアミドフィルムは、粘調液の重量から、強靭性、柔軟性、耐衝撃性など優れた特性を有しているために使用される。ガスバリア層として、粘調液の保存性を向上させるために、アルミニウム蒸着、酸化アルミニウム蒸着、酸化珪素蒸着、酸化マグネシウム蒸着などが使用される。
【００４３】
口栓体４に使用される樹脂としては、ポリエチレン樹脂が使用される。射出成型法にて形成することができる。口栓体は、注出口と注出口の周辺を形成する円板状のフランジを有している。また口栓体のキャップとして、スナップオンタイプ、ヒンジタイプ、スクリュウタイプ、ディスペンサータイプ、コックタイプを用いることができる。これらもポリエチレン樹脂、ポリプロピレン樹脂などを使用し射出成型して形成される。
【００４４】
導液フィルム２０に使用されるフィルムとしては、ポリエチレンフィルムとポリアミドフィルムとを積層した積層フィルムを使用する。ポリアミドフィルム１０〜５０μｍを積層し、導液フィルムの総厚を５０〜３００μｍにする。強靭性、柔軟性、耐衝撃性を向上させることができ、輸送時などで袋体を破損させることはない。
【００４５】
導液フィルムに凹条部を形成する方法としては、積層したフィルムに、凹条に彫刻された金属ロールに押圧する、所謂ロールエンボス方法や、エンボス板を用いた方法などがある。エンボス条件は、凹条の形状、寸法に合わせて適宜決めればよい。特に凹凸形、波形の他にも導液性を有する形状であれば可能である。
【００４６】
またポリエチレンフィルムとポリアミドフィルムを積層する方法として、接着剤を介して貼り合せる方法、またポリエチレン樹脂とポリアミド樹脂を押出し機により、二層フィルムに押出しする方法がある。後者は、押出した直後にエンボスロールにて凹条にするインライン方式で可能である。
【００４７】
形成した導液フィルムを所定の寸法の細長板状に裁断する。特に長辺は、袋体の長辺とほぼ同等の長さに裁断する。幅は、少なくとも口栓体の注出口の直径より広く、フランジの幅と同等または狭い方が好ましい。
【００４８】
箱体は、剛性を有する段ボールや厚手の板紙が使用できる。粘調液を５〜２０Ｌを収容した袋体を収納し、箱体として維持できる坪量があればよい。
【００４９】
更に製造方法について説明する。
【００５０】
本発明の袋体は、内フィルムと外フィルムの二重袋の形態である。内フィルムと外フィルムを重ね合わせ、口栓体を取り付ける側の内フィルムと外フィルムの所定の部位にそれぞれ穴を開ける。
【００５１】
口栓体を取り付ける穴に口栓体を挿入し、フランジと内フィルムと外フィルムを同時にシールして一体化させ、口栓体を取り付ける。
【００５２】
一方口栓体と対向した内フィルムの内面の所定の部位に、予め裁断された導液フィルムを取り付ける。この場合、導液フィルムの長辺の両端部を内フィルムの内面に貼着（熱融着）させる。貼着させる方法は、熱融着の他に接着剤を介して可能であるが、異臭が生じる場合がある。
【００５３】
口栓体を取り付けた側のフィルム（内フィルム、外フィルム）と導液フィルムを取り付けた側のフィルム（内フィルム、外フィルム）と、をそれぞれ重ね合わせ、四方シールして二重袋に製袋する。口栓体および導液フィルムを取り付けられた袋体が形成される。
【００５４】
次に口栓体の注出口から粘調液を所定の量を充填し、キャップにて密封し、粘調液が収容された袋体が形成される。
【００５５】
次に剛性を有した段ボールを用い、蓋部が開口した箱体が形成する。該箱体に粘調液が収容された袋体を収納する。袋体の口栓体は、予め箱体の前側面下部に設けられた貫通穴に貫通され、次に蓋部が密閉されバッグインボックスが形成される。
【００５６】
バッグインボックス中の粘調液は、口栓体のキャップを外し、減圧吸引装置などを用いて吸引、排出される。
【００５７】
袋体の中に収容する粘調液としては、果汁、トマトペースト、コーヒー、ウーロン茶、フルーツピューレ、ミネラルウォーター、調味液（醤油、ソース）、清酒、ワイン、焼酎、食用油、シェイクミックス、ホイップクリーム、液体洗剤、液体肥料、液体香料などを挙げることができる。また粘調液によって、保存性を向上させる必要があれば、袋体にガスバリア性を付加したフィルムを用いればよい。
【００５８】
以下、本発明の具体的実施例について説明する。
【実施例１】
【００５９】
袋体として、内フィルムには、ポリエチレン６０μｍを用いた。また外フィルムは、ポリエチレン６０μｍとポリアミドフィルム２５μｍをウレタン二液からなる接着剤を用いて貼り合わせ、積層フィルムを形成した。
【００６０】
次にポリエチレン樹脂を用い、射出成型して口栓体を形成した。
【００６１】
次に導液フィルムを形成するために、二層押出し機を用い、ポリエチレン樹脂層１００μｍとポリアミド樹脂層３０μｍ、総厚１３０μの二層フィルムを形成し、連続してエンボスロールにて凹条部を形成した。幅５ｍｍ、高さ５ｍｍ、繋ぎ５ｍｍの単位で連続形成した。
【００６２】
次に粘調液１０Ｌを収容するための袋体を形成するための準備を行った。袋体のサイズ
を短片４７５ｍｍ、長辺４９０ｍｍの寸法にて四方シールする袋体である。
【００６３】
外フィルムと内フィルムとを重ね合わせ、口栓体を取り付ける側の内フィルムと外フィルムに、それぞれ取り付ける部位に口栓体用の穴を開けた。
【００６４】
次に口栓体用の穴に口栓体を挿入し、フランジと内フィルムと外フィルムを同時にシールして一体化させ、口栓体を取り付けた。
【００６５】
一方口栓体と対向した内フィルムの内面の所定の部位に、幅６０ｍｍ、長さ４５０ｍｍに裁断された導液フィルムを貼着（熱融着）させた。この場合、導液フィルムの長辺の両端部を内フィルムの内面と貼着させた。
【００６６】
口栓体を取り付けた側のフィルム（内フィルム、外フィルム）と導液フィルムを取り付けた側のフィルム（内フィルム、外フィルム）をそれぞれ重ね合わせ、四方シールして二重袋なるように製袋した。口栓体、導液フィルムを取り付けた袋体を作成した。
【００６７】
作成した袋体に、粘調液としてシロップを２．５ガロン（約９．４５Ｌ、約１１．９４ｋｇ）充填した。キャップはスナップタイプを使用した。
【００６８】
次に縦、横、高さがそれぞれ２２０ｍｍ、２２０ｍｍ、２３０ｍｍの直方体状になるように、剛性を有する段ボールを用いて箱体を形成した。次に袋体を箱体に収納し、バッグインボックスが形成された。
【００６９】
次にこのバッグインボックスを、過酷条件下で評価するために、口栓体が天面の状態で、ポリエチレンの袋に包み、温水４５℃の中に入れ加温した。シロップの温度を４５℃にした。
【００７０】
次に口栓体から２．６ｍの位置にラインチューブを設置して、ポンプにてシロップを吸引して排出させた。
【００７１】
吐出量は５０ｍｌで、初期は吐出間隔１５分で１杯から５杯まで吐出し、次の６杯から１７０杯までは連続吐出を行い、次に吐出間隔を５分にし、１７１杯から１８８杯まで吐出を行った。
【実施例２】
【００７２】
実施例１で形成したバッグインボックス１０個をＪＩＳ  Ｚ−０２００法による振動試験を行った。条件は、流通条件の区分（レベル３）、方法（Ａ−１）（加振時間４０分、振動数範囲５〜５０Ｈｚ）。
【００７３】
＜比較例１＞
導液フィルムを以下のように形成した。押出し機を用いてポリエチレンフィルム６００μｍを形成し、表面に連続してエンボスロールにて、高さ２ｍｍの突条、ピッチ３ｍｍなる溝を形成した。これを幅６２ｍｍ、長さ３２５ｍｍに裁断し導液フィルムを形成した。この導液フィルムの一方の端をフランジに熱融着させた以外は、実施例１と同様に行った。
【００７４】
＜比較例２＞
比較例１で形成したバッグインボックス１０個を実施例２に如く振動試験を行った。
【００７５】
実施例１では残液量は６０ｇであった。比較例１では残液量は１００ｇであった。排出残液量は低減された。また実施例２の振動試験では、袋体の破損は無かったが、比較例２
では、袋体２個に破損が確認された。
【符号の説明】
【００７６】
１    袋体（バッグ）
２    内フィルム
３    外フィルム
４    口栓体
５    注出口
６    フランジ
７    貼着部
８    キャップ
９    シール部
１０  一側端
２０  導液フィルム
２１  凹条部
２２  凹凸形
２３  波形
２４  幅
２５  高さ
２６  繋ぎ
３０  箱体（ボックス）
３１  前側面
３２  吸引部材
４０  バッグインボックス
【図１】
0005891653.tif 000002
【図２】
0005891653.tif 000003
【図３】
0005891653.tif 000004
【図４】
0005891653.tif 000005
【図５】
0005891653.tif 000006
【図６】
0005891653.tif 000007
【図７】
0005891653.tif 000008
【図８】
0005891653.tif 000009